(57)【特許請求の範囲】
【請求項１】
容器本体の開口部に装着されるベース部と、このベース部に着脱可能に保持され容器本体内の内容物を吸引するとともに吸引した内容物を保持・注出する計量部からなる定量ディスペンサーにおいて、
計量部は内容物を定容量貯溜する計量部本体と、計量部本体内でスライド可能なピストンと、一端がピストンに連結され他端が計量部本体を貫く吸入管と、該ピストンを吸入管とともに強制的にスライドさせる注出ロッドを備え、
計量部本体と注出ロッドとの相互間に内容物の注出量を検知する検知手段を設け、
前記検知手段が注出ロッドに設けられた少なくとも１つの凸部と、計量部本体に設けられ該凸部と係合する弾性舌片とを備え、該凸部を計量部本体内に貯溜された内容物の残存量または計量部より注出された量に対応する指標とするものであり、
前記注出ロッドが、多角柱からなる、ことを特徴とする定量ディスペンサー。
【請求項２】
ベース部または計量部の一方に傾斜を有する突条を設け、そのうちのもう一方に該突条を挟み込む配列になる突条を設け、計量部の、ベース部に対する回動にて各突条を相互にねじ状に係合させて計量部をベース部に装着する請求項１記載の定量ディスペンサー。
【請求項３】
計量部はその本体外周にベース部の内面に付着した内容物を容器本体内へ掻き落とすスクレパーを有する請求項１又は２記載の定量ディスペンサー。
【請求項４】
ベース部及び計量部の少なくとも一方に、それらを相互に接触させその接触相互間で面圧を高めることによりベース部に装着した計量部の緩みを防止する凸部を有する請求項１〜３の何れかに記載の定量ディスペンサー。
【請求項５】
計量部本体は吸入管が貫く領域に弾性シール部材を有する請求項１〜４の何れかに記載の定量ディスペンサー。
【請求項６】
計量部はピストンの背面においてその本体を貫通して外部に連通する開口を備える請求項１〜５の何れかに記載の定量ディスペンサー。
【発明の詳細な説明】
【０００１】
【発明の属する技術分野】
本発明は、容器内の内容物を所定量取り出して注出するのに好適な定量ディスペンサーに関し、注出作業が簡便でしかも正確な定量注出を実現しようとするものである。
【０００２】
【従来の技術】
容器内の内容物を、必要に応じて適量取り出すには、従来、容器の開口部分に装着可能な手動式のポンプが適用されているが、定量注出が要求されるようなものを対象とする場合、かかるポンプでは、その注出精度が著しく劣ることから、この場合には容器本体の開口部から内容物を必要量のみを吸い上げる着脱式の定量ディスペンサーが使用されている。
【０００３】
定量ディスペンサーは、具体的には、容器本体の開口部に装着されその内側にシリンダ室を形成するベース部と、このベース部に組み込まれる着脱式の計量部とを備え、該計量部をシリンダ室にインサートした状態でその内部に内容物を定量吸引する構成になり、内容物の注出に際しては、計量部をベース部から取り外し計量部に組み込まれているシリンダを可動させることによって内容物を外部に注出するようになっており、この点に関する先行技術としては、例えば実公平６−３８１２号公報が参照される。
【０００４】
ところで、この種の定量ディスペンサーは、ベース部と計量部はねじによる係合方式を採用しているのが普通であり、その着脱が煩わしい。
【０００５】
また、計量部に定量吸引した内容物に関し、それをさらに小分けして注出する（以下、定量小出しという）ような必要性が生じた場合には、専ら手加減に頼るしか手立てがなく、それに対応できるディスペンサーの開発が望まれている。
【０００６】
【発明が解決しようとする課題】
本発明の課題は、内容物の吸引、注出を簡便、かつ、迅速に行うことができ、必要に応じて正確に定量小出しができる新規な定量ディスペンサーを提案するところにある。
【０００７】
【課題を解決するための手段】
本発明は、容器本体の開口部に装着されるベース部と、このベース部に着脱可能に保持され容器本体内の内容物を吸引するとともに吸引した内容物を保持・注出する計量部からなる定量ディスペンサーにおいて、
計量部は内容物を定容量貯溜する計量部本体と、計量部本体内でスライド可能なピストンと、一端がピストンに連結され他端が計量部本体を貫く吸入管と、該ピストンを吸入管とともに強制的にスライドさせる注出ロッドを備え、
計量部本体と注出ロッドとの相互間に内容物の注出量を検知する検知手段を設け、
前記検知手段が注出ロッドに設けられた少なくとも１つの凸部と、計量部本体に設けられ該凸部と係合する弾性舌片とを備え、該凸部を計量部本体内に貯溜された内容物の残存量または計量部より注出された量に対応する指標とするものであり、
前記注出ロッドが、多角柱からなる、ことを特徴とする定量ディスペンサーである。
【０００９】
ベース部または計量部の一方に傾斜を有する突条を設け、そのうちのもう一方に該突条を挟み込む配列になる突条を設け、計量部の、ベース部に対する回動にて各突条を相互にねじ状に係合させて計量部をベース部に装着するものとする。
【００１０】
計量部はその本体外周にベース部の内面に付着した内容物を容器本体内へ掻き落とすスクレパーを有するものが好適である。
【００１１】
ベース部及び計量部の少なくとも一方には、それらを相互に接触させその接触相互間で面圧を高めることによりベース部に装着した計量部の緩みを防止する凸部を設けるのが好ましい。
【００１２】
計量部はピストンの背面においてその本体を貫通して外部に連通する開口を備えるのが望ましい。
【００１３】
【発明の実施の形態】
本発明の定量ディスペンサーは、計量部及びベース部のそれぞれに複数本の突条を設け、これらの突条を互いに係合させた状態で計量部をベース部の周りに僅かに回動させてその係合部分の面圧を上昇させることによって計量部をベース部に装着する。
【００１４】
【実施例】
以下、図面を用いて本発明をより具体的に説明する。
図１は本発明に従う定量ディスペンサーの構成を示したものである。図において１は内容物を収容するための容器本体、２は容器本体１の開口部分１ａにねじ止めされるベース部、３はこのベース部２に装着される計量部であり、ベース部２とこの計量部３にて定量ディスペンサーを構成する。
【００１５】
ベース部２は計量部３をインサート状態にて保持するシリンダ状の凹部分２ａと、この凹部分２ａに形成され容器本体内の内外相互間の空気の流通を司る溝部分２ｂと、チェック弁を有する中空管２ｃと容器本体１への内容物の補給を行う開口部分２ｄとを備える。
【００１６】
また、計量部３は内容物を定容量貯溜する計量部本体３ａと、この計量部本体３ａ内でその軸方向に沿うスライドを可能として内容物を吸引、注出するピストン３ｂと、一端がピストン３ｂに連結され他端が計量部本体３を貫きベース部２の中空管２ｃに合致する吸入管３ｃと、計量部本体３ａの外側からピストン３ｂを吸入管３ｃとともに強制的にスライドさせる注出ロッド３ｄと、ピストン３ｂの背面で計量部本体３ａを貫通して外部に連通する開口３ｅとを備えるものであり、このうち、計量部本体３ａについては、吸入管３ｃが貫く領域に弾性シール部材３ｆを有する。
【００１７】
また、４はベース部２に設けられた３本の例で示した突条である。この突条４はそれぞれ同等の傾斜及び長さを有し、ベース部２の周りに沿い等間隔で配置される。
【００１８】
５は計量部３に設けられた６本の例で示した突条である。この突条５は突条４と同等の傾斜を有するものであり、該突条４をそれぞれ両側から挟み見込むような配列になっていて、計量部３をベース部２に適合させそれを回動させることにより突条３、４が相互に接触しその間ですぐさま面圧が高まる。
【００１９】
また、６は計量部３に貯溜した内容物の注出量を検知するための検知手段である。この検知手段６は、注出ロッド３ｄに設けられた凸部６ａと、計量部本体３ａに設けられ該凸部６ａに係合する弾性舌片６ｂからなり、凸部６ａは計量部本体３ａ内に貯溜された内容物の残存量あるいは計量部より注出された量に対応する指標となる。
【００２０】
７はスクレパーであり、このスクレパー７は計量部本体３ａの外周先端に設けられるもので、ベース部２の凹部分２ａに不可避的に付着した内容物を容器本体内へ掻き落とす役目を有する。そして８はベース部２に一体的に設けられた例で示した凸部であり、この凸部８は計量部３をベース部２に装着する際、計量部３に接触させその相互間で面圧を高め、ベース部２に装着した計量部３の弛みを防止する。
【００２１】
図２は上掲図１に示した定量ディスペンサーの外観を分解状態で分かりやすく図解したものであり、図３は計量部３の平面を、また、図４はベース部２の凹部分２ａの平面をそれぞれ示したものである。
【００２２】
計量部３において注出ロッド３ｄをスライドさせ、それにつながる吸入管３ｃを計量部本体３ａから最も突出させる状態にしてベース部２の凹部分２ａにインサートし吸入管３ｃの先端を中空管２ｃに合致させた状態を図５に示す。
【００２３】
この状態からさらに計量部３を凹部分２ａ内に押し込み図６に示すような状態にすると、ピストン３ｂと計量部本体３ａにて区画される空間ｒは負圧下に保持され、該空間ｒにはディップチューブｄ、中空管２ｃ及び吸入管３ｃを通して容器本体１内の内容物が定容量吸い上げられる。
【００２４】
計量部本体３ａに内容物を貯溜、保持した状態で、該計量部本体３ａをベース部２から取り外し、注出ロッド３ｄを押圧してピストン３ｂをスライドさせ図５に示した如く吸入管３ｃを計量部本体から突出させるようにすることにより該吸入管３ｃから内容物を注出する。
【００２５】
内容物の注出に際しては、注出ロッド３ｄに設けた検知手段６の凸部６ａが計量部本体３ａに設けた弾性舌片６ｂに係合することになり、この時、内容物の注出を中断することにより定量小出しが可能になる。
【００２６】
このような凸部６ａはこの例では１０cc、２０ccを例として示してあるが、注出ロッド３ｄの軸方向に沿い所定の注出量となる任意の位置に複数個設けることができる。
【００２７】
凸部６ａに係合する弾性舌片６ｂに関しては、凸部６ａとの係合により注出ロッド３ｄの押圧を停止することができ、かつ、さほどの押圧力を必要とせずに凸部６ａを乗り越えて引き続き押圧することができる程度の弾性力を有するものとする。
【００２８】
計量部本体３ａに貯溜した内容物を一度に全て注出するに際しては、凸部６ａと弾性舌片６ｂの係合にかかわりなく注出ロッド３ｄを押し切るようにすればよい。
【００２９】
計量部３をベース部２に装着するに際しては、該計量部３をほんの少しの回動で突条３、４が係合して面圧が高まるので係合させるための探りや開閉の際の角度が小さいので従来のようなねじによるものに比較して、その取り付け、取り外しを簡便に行い得る。
【００３０】
計量部３をベース部２に装着した場合において、計量部３の弛みを防止するために本発明では、凸部８を設けた場合を例として示したが、これは複数個設けることができる。また、凸部８は計量部３の側に設けることもでき、計量部３をベース部２に確実に留めておくことができるものであればよい。
【００３１】
検出手段６として弾性舌片６ｂを用いると、凸部６ａを乗り上げるとき、音を発することになるので、視覚のみならず聴覚でも内容物の残存量を確認できる利点がある。
【００３２】
本発明に従う定量ディスペンサーはプラスチック等の樹脂にて構成することができるが、とくにその材質について限定されない。計量部３に関しては、その内部に内容物が貯溜されているかどうかを目視にて確認できるように透明あるいは半透明よりなる部材にて成形するのが好ましい。
【００３３】
図７は計量部３にキャップｃを装着した例を示したものである。計量部３には、ピストン３ｂのスムーズな移動を導くため開口３ｅを設けてあるため、かかる部位から水や埃あるいは塵等が侵入するおそれもあるので、内容物の注出を行わない保管時には、かかるキャップｃを装着しておくのが有効になる。
【００３４】
【発明の効果】
本発明によれば、探り、開閉角が小さいので計量部のベース部に対する取り付け、取り外しを簡便い行い得るので、注出作業をスムーズに行うことができる。
【００３５】
また、本発明によれば、定量小出しが可能なのでとくに薬品等、厳密な注出が不可欠なものにも有用であり、その用途を著しく拡大できる。
【図面の簡単な説明】
【図１】  本発明に従う定量ディスペンサーの構成説明図である。
【図２】  本発明に従う定量ディスペンサーの外観を示した図である。
【図３】  本発明に従う定量ディスペンサーの計量部の平面を示した図である。
【図４】  本発明に従う定量ディスペンサーの凹部分の平面を示した図である。
【図５】  本発明に従う定量ディスペンサーの注出要領の説明図である。
【図６】  本発明に従う定量ディスペンサーの注出要領の説明図である。
【図７】  本発明に従う定量ディスペンサーの他の例を示した図である。
【符号の説明】
１    容器本体
１ａ  開口部分
２    ベース部分
２ａ  凹部分
２ｂ  溝部分
２ｃ  中空管
２ｄ  開口部分
３    計量部
３ａ  計量部本体
３ｂ  ピストン
３ｃ  吸入管
３ｄ  注出ロッド
３ｅ  開口
３ｆ  弾性シール部材
４    突状
５    突状
６    検知手段
６ａ  凸部
６ｂ  弾性舌片
７    スクレパー
８    凸部
ｒ    空間
ｄ    ディップチューブ
ｃ    キャップ
【図１】
0004602534.tif 000002
【図２】
0004602534.tif 000003
【図３】
0004602534.tif 000004
【図４】
0004602534.tif 000005
【図５】
0004602534.tif 000006
【図６】
0004602534.tif 000007
【図７】
0004602534.tif 000008